(57)【特許請求の範囲】
【請求項１】
容器、容器係合部材、及びシールを備える組立品であって、前記容器が、容器本体と開口した首部を有し、前記開口した首部が、前記首部から放射状に延びる複数の離間した非連続の首部タブを備え、前記容器係合部材が、首部係合部材を有する本体を備え、前記首部係合部材が、前記首部と前記首部係合部材の相対的な回転で前記離間した非連続の首部タブに係合するように構成された複数の離間した非連続のねじ山を備え、
前記容器が、前記首部から半径方向外側に延びる外周フランジを更に備え、前記外周フランジが、複数の離間したフランジタブを備え、
前記首部係合部材は、前記フランジタブと協働して前記首部と前記首部係合部材の間のスナップ・フィット係合を形成する、軸方向に隆起したスナップ玉部、凹部、及び軸方向に隆起した停止部材を円筒部分の下面に備える軸方向に延びた円筒部分を備え、
前記シールは、前記首部に係合するように設けられ、前記首部と前記首部係合部材の相対的な回転に際して圧迫される、組立品。
【請求項２】
前記複数の首部タブが、複数のスタック対に位置付けられ、各スタック対が、別のスタック対から均等に離間される、請求項１に記載の組立品。
【請求項３】
各スタック対が、首部上部タブ及び首部下部タブを含み、前記首部下部タブが、前記首部上部タブに対して、平行であり、配列され、及びその直下に位置付けられる、請求項２に記載の組立品。
【請求項４】
各首部タブが、垂直部までの下方傾斜の傾斜部を備える、請求項２に記載の組立品。
【請求項５】
前記容器係合部材が、前記容器を閉じるためのキャップを含む、請求項１に記載の組立品。
【請求項６】
各フランジタブが、前記外周フランジから上方及び前記首部から半径方向外側に延びる放射状に延びる上部と、前記外周フランジから半径方向外側に延び、自由端で終端する放射状に延びる下部を備える、請求項１に記載の組立品。
【請求項７】
前記首部係合部材が、少なくとも一つの回転制限部材を備え、前記首部係合部材から軸方向に延び、前記外周フランジ上の前記フランジタブに接触し、前記首部係合部材と容器の一つの方向の相対的な回転を阻止する、請求項１に記載の組立品。
【請求項８】
前記首部係合部材が、片持ち梁スナップロック部材と、隆起した停止部材を備え、前記片持ち梁スナップロック部材が、前記隆起した停止部材から半径方向外側に位置付けられる、請求項１に記載の組立品。
【請求項９】
前記シールが、フォームガスケットを含む、請求項１に記載の組立品。
【請求項１０】
前記シールが、前記容器係合部材から延びる環状リングを備える、請求項１に記載の組立品。
【発明の詳細な説明】
【技術分野】
【０００１】
この出願は、２０１５年３月９日に出願された米国特許出願シリアルＮｏ．１４／６４１，８４３及び２０１４年３月２１日に出願された米国仮出願シリアルＮｏ．６１／９６８，５３２の優先権を主張し、これらの開示が参照により本明細書に組み込まれる。
【０００２】
本明細書に開示の実施形態が、概して容器及び容器係合部材に関し、ある実施形態においては、真空フィルター装置に関し、特には、一つの容器からメンブレンを介して液体をフィルタリングし、別の容器内へ直接的にろ液を流すためのそのような装置に関する。
【背景技術】
【０００３】
実験室サンプルを濃縮、分離、及び／又は精製するために、多数の実験室装置がろ過を実行するために開発されている。研究者は、ルーチンとして、他の調査研究の前、それらのサンプルを濃縮する必要がある。生体液をフィルタリングするための装置は、概して３つの主コンポーネント、すなわち、２つの管の間に介在するメンブレンフィルター、フィルターされるサンプル溶液を保持するためのメンブレンの上流に設けられたフィード容器、フィルターされたサンプル溶液を収集するためのメンブレンフィルターの下流に設けられたろ液容器を含む。典型的には、真空がメンブレンの下流に引かれ、フィルターに亘る圧力差を生成することによりろ過率が高められる。
【０００４】
幾つかの装置設計が、ろ液容器内へ液体試料をフィルタリングするために為されている。これらが、典型的には、ウシ胎仔血清、組織培養媒体及び同種のものといった生体液を浄化及び殺菌するために用いられる。ある慣行の装置においては、ユーザーが、保存管からフィルター装置へ液体試料を移す。ＥＭＤ  Ｍｉｌｌｉｐｏｒｅから商業的に入手可能であるＳＴＥＲＩＣＵＰ（登録商標）システムといった真空ろ過システムが、細胞培養媒体、バッファー、及び試薬の除菌に理想的に適する。この装置が、送り筒（feeding 筒）のサイズに基づいて１リットルの最大の未ろ過量を取り扱うことができる。フィード及びろ液保存管の容量により決定されるように、大量のものが連続処理される。
【０００５】
真空ろ過のためのコンポーネントの配置が様々な形態を取ることができる：しかしながら、特に実験式のセッティングにおいては、使用の簡単さのため、減じられた保存要求及び最小の消耗品のハードウェアが、生体液のこぼれを避けるように重要な関心事である。ある他の用途においては、ろ過される溶液の無菌状態を保存することも重要である。
【０００６】
ろ過カラーに取り付けられた筒及び蓋と、取り付けられた容器を含む、様々な一回使用の、使い捨て可能な、除菌装置が商業的に利用可能である。これらの装置の大半が、１５０ｍｌ〜１０００ｍｌの範囲の量を処理することができ、ろ過カラーアセンブリーに取り付けられる筒及び蓋を含むろ過上部構造（filtration top）を提供し、既存のボトル又は容器上に組み付けることができる。アセンブリーが、パッケージされたボトルキャップで包装され、ガンマ線滅菌といったものにより滅菌される。従来装置が、ろ過が完了した後、ボトル又は容器をフィルターから外すのに１〜２回転を要求する。ボトル又は容器が媒体で充填されるため、この操作が、可能性としてサンプルの汚染と同様、液だれ、漏れなどに繋がり得る。サッシが１０〜１８”開であり、操作が特に困難である層流細胞培養フード（laminar flow cell culture hood）で動作する時に特に当てはまる。
【発明の概要】
【課題を解決するための手段】
【０００７】
先行技術の問題が、用途がろ過のみに限定されないが、サンプルの大容量のろ過へ特に有用である装置を提供する本明細書に開示された実施形態により解決される。ある実施形態においては、装置が、簡便及び信頼性の高い態様で急速な高品質なサンプルの分離又は浄化を提供し、様々な装置の部品の係合及び非係合を簡素化する。ある実施形態においては、装置が閉じられることの保険が提供され、容器係合部材が完全に係合されることのフィードバックがユーザーに提供される。ある実施形態においては、装置が、容器及び容器係合部材を含む。ある実施形態においては、容器係合部材がカラーを含み、サンプルホルダー又はリザーバー又は筒と、メンブレンといったろ過エレメントを含み得る。組み立てられた状態において、サンプルホルダー又はリザーバーがろ過エレメントの上流にあり、容器が、ろ過エレメントの下流にあり、またサンプルホルダー又はリザーバーが容器に取り付けられる。ある実施形態においては、容器がろ液ボトルである。サンプルホルダーのサンプルを真空といった駆動力に晒す時、リザーバーからサンプルがろ過エレメントを通じて容器内へ流れる。ある実施形態においては、容器係合部材が、容器キャップを含む。ある実施形態においては、容器係合部材が、９０度、１／４回転のみでといった即時の取り付け、即時の解放の態様でボトル又は容器から係合可能及び非係合可能である。コンポーネントの係合又は非係合のために９０度、１／４回転だけ要求されるため、ユーザーの手／指が、コンポーネントを係合又は非係合にするために装置から離れる必要がない。ある実施形態においては、係合が完了したことの触感指標が提供される。ある実施形態においては、係合が完了したことの可聴指標が提供される。ある実施形態においては、容器係合部材が、同様の可聴及び触感指標で、同様に容器に係合可能及び非係合可能である容器キャップである。
【図面の簡単な説明】
【０００８】
【図１】図１は、ある実施形態に係る容器の斜視図である。
【図２】図２は、ある実施形態に係る図１の容器の首部の拡大斜視図である。
【図３Ａ−３Ｂ】図３Ａは、ある実施形態に係る容器係合部材の下部斜視図であり、図３Ｂは、ある実施形態に係る容器の首部の斜視図である。
【図３Ｃ】図３Ｃは、ある実施形態に係る容器の首部の外面上のタブの断面図である。
【図４】図４は、ある実施形態に係る、部分が詳細に図示された容器係合部材の下部斜視図である。
【図５】図５は、ある実施形態に係る、部分が詳細に図示された容器の斜視図である。
【図５Ａ】図５Ａは、ある実施形態に係る容器係合部材に係合した容器の部分拡大斜視図である。
【図５Ｂ】図５Ｂは、ある実施形態に係る容器に係合及びシールされた係合部材の斜視図である。
【図６】図６は、ある実施形態に係る容器係合部材の下部斜視図である。
【図７】図７は、ある実施形態に係る容器係合部材の拡大下部斜視図である。
【図７Ａ】図７Ａは、ある実施形態に係る容器に係合及びシールされた別の係合部材の斜視図である。
【図８】図８は、ある実施形態に係る容器係合部材の部分拡大下部斜視図である。
【図９】図９は、ある実施形態に係る容器係合部材に係合した容器の部分拡大斜視図である。
【図１０Ａ−１０Ｃ】図１０Ａ、１０Ｂ、及び１０Ｃは、ある実施形態に係るスナップロック特徴を示す図である。
【発明を実施するための形態】
【０００９】
まず図１を参照すると、ある実施形態においては、図示のように開口頂部（open top）１１を有する容器又はハウジング１０が図示される。図示の実施形態においては、容器１０が、概して円筒状の単一部材のハウジングであり、容積限度（volume capacity）に特段の限定はないが、５００ミリリットルといった相対的な大量のサンプルを保持することができる。ある実施形態においては、容器１０が、ポリスチレン、ポリカーボネート、多数のＰＥＴ類（例えば、ＰＥＴＧ、ＰＥＴＥ）、及びポリオレフィン、特にポリプロピレンといったプラスチックから成るが、（コストと真空強度を念頭において）操作に有害ではない他の適切な材料からも成り得る。
【００１０】
図２は、容器１０の首部１３のある実施形態の詳細を示す。ある実施形態においては、首部１３が、概して円筒状であり、容器１０の本体１２から延びる。首部１３が１１で開口し、容器１０の内部へのアクセスを許容する。首部１３の外面が、複数の離間したタブ１４を含み、各々、タブ１４ａ、１４ｂ、１４ｃ、１４ｄと符号付けされ（図示の４つ）、首部１３の外面から径方向外側へ延びる。ある実施形態においては、６つの離間したタブがあり、３つのスタック対に配置され、各々のスタック対が別のスタック対から離間される。ある実施形態においては、タブのスタック対の間隔が、成形性と機能（安定性とねじ山潰れの回避）の間のバランスを達成するために決定される。各スタック対が、上部タブ（例えば、１４ａ）及び下部タブ（例えば、１４ｂ）を含み、下部タブが、上部タブに対して、平行であり、配列され、及びそのちょうど下に配置される。ある実施形態においては、各タブが、首部１３から半径方向外側に同じ程度で延び、同様の形状である。ある実施形態においては、各タブの反対端部らが、お互いに向かって内側にテーパー付けられる。ある実施形態においては、タブの２つのスタック対におけるタブが、第３のスタック対のタブよりも長さが短く、配向が一つの方向であり、容器と係合部材が整合することを保証する。ある実施形態においては、２つのスタック対のタブが、等しい長さの第３のもののタブよりも長さが短い。図３Ｃに見られるように、ある実施形態においては、タブが、垂直部２５までの下方に傾斜する傾斜部２４を含み、また平坦な下部２６を有する。タブは、お互いについて非連続である。ある実施形態においては、各スタック対が、首部１３の開口端の下に異なる距離で配置される。換言すれば、下部タブのそれぞれが結合されるとすれば、その結果の仮想的な環状リングが、首部１３の開口端に関して角度付けられるだろう。同様に、上部タブのそれぞれが結合されるならば、その結果の仮想的な環状リングが、首部１３の開口端に関して角度付けられるだろう。ある実施形態においては、首部１３の開口端に関する２つの仮想的なリングの角度が同一である。
【００１１】
９０°の１／４回転でタブが適切な係合部材に係合及び非係合し、全３６０°又はそれ以上で慣例の係合部材（例えば、０．１６６７インチのピッチの標準の片ねじ山）に係合できるようにタブ１４のピッチが設定される。ピッチは、全３６０°回転に対応するｚ軸（深さ）の動きとして規定される。ねじ山の発端（第１ねじ山の深さで開始する）とねじ山リード（第１ねじ山が始まるところの角度）は、クリックが係合した後、及び係合部材シール４８が完全に係合した後、停止が従事することを保証するために構成される。より詳細には、ある実施形態においては、図５Ｂに図示のように、フォームガスケット（foam gasket）といったシール４８が、それが容器上に本体１２に対して回転される時、カラー４０により圧迫され、首部１３の解放端の平坦面に接触するように配置される。同様に、図７Ａに示されるように、ある実施形態においては、キャップ６０が、ボトル首部１３の内壁に係合する突出するリング構造から構成され、圧迫される時にシールを形成するシール４８’を含む。
【００１２】
首部１３は、半径方向外側に延びる外周フランジ３０も含む。ある実施形態においては、フランジが、タブ１４よりも長い距離で半径方向外側に延びる。ある実施形態においては、フランジ３０が、首部１３の下部から離間される；つまり、それが、首部１３が容器１０の本体１２に移行する領域の直上に配置される。ある実施形態においては、フランジ３０が、２つの離間したタブ３１ａ、３１ｂを含み、好適にはお互いに１８０°離間される。各タブが、放射状に延びる上部３２を含み、この上部３２が、フランジ３０から上方に延び、またフランジ３０の延在と同程度で首部１３から半径方向外側に延びる。各タブが、放射状に延びる下部３３も含み、この下部３３が、フランジ３０の縁から半径方向外側に延び、自由端３４で終端する。以下に説明のようにカラー４０上のある要素と協働して、タブ３１ａ、３１ｂが、カラー４０と容器１０、又はキャップ６０と容器１０の間のスナップ・フィット係合を形成するように従事する。
【００１３】
ここで図３Ａ及び４に目を向けると、カラー４０が図示される。ある実施形態においては、カラー４０は、容器１０の首部１３に係合するように構成される。ある実施形態においては、カラー４０は、概して円筒形状であり、頂部３９を含み（図５Ａ）、この頂部３９が、複数の離間した放射状リブ４４又は同様のものを含み、ガラスファイバー又はメンブレン（不図示）といったフィルター要素（例えば、ＤＵＲＡＰＯＲＥ（登録商標）０．４５μｍメンブレン）が保持される。ある実施形態においては、カラー４０は、カラー４０の複数の開口を通じてメンブレンを介して容器１０に流体連通するサンプルリザーバー（不図示）も保持する。カラー４０は、入れ口管３８を通じて真空といった駆動力に通じるように配置できる。
【００１４】
カラー４０内には、カラー４０の頂部の裏面から軸方向に延びる内側円筒部材４１が設けられる。ある実施形態においては、円筒部材４１が、カラー４０の中心に設けられ、また首部係合部材である。ある実施形態においては、円筒部材４１の内壁４２が、複数の離間したねじ山又はらせん状曲部４５を含み、内壁４２から半径方向内側に延び、容器１０の首部１３上の各タブ１４を受け入れるように構成される。ある実施形態においては、ねじ山４５がお互いに非連続である。ある実施形態においては、９つの離間したねじ山４５があり、３つの軸方向にスタックされた集合に配置され、各スタック集合が、別のスタック集合から均等に離間される。各スタック集合が、第１ねじ山（例えば、ねじ山４５ａ）、第２中間ねじ山（例えば、ねじ山４５ｂ）、及び第３ねじ山（例えば、ねじ山４５ｃ）を含み、第２及び第３ねじ山が、第１ねじ山４５ａに対して、平行であり、配列され、また（カラー４０が直立位置にある時）その直下に配置される。ある実施形態においては、円筒部材４１が、一つの全周ねじ山４５’も含み、これが、円筒部材４１の下部の近くで円筒部材４１の全内周で延びる。ある実施形態においては、ねじ山４５それぞれが、同じ程度に壁４２から半径方向外側に延び、ねじ山が同様の形状である。ある実施形態においては、２つのねじ山スタック集合が、第３スタック集合のねじ山よりも長さが短く、配向が一つの方向であり、容器と係合部材が整合することを保証する。ある実施形態においては、２つのスタック集合のねじ山が、等しい長さの第３のもののねじ山よりも長さが短い。ある実施形態においては、各ねじ山の反対端部らが、お互いに向かって内側にテーパー付けられる。ある実施形態においては、ねじ山４５それぞれが、垂直部４７までの上方に傾斜した傾斜部４６を含む。ねじ山の上方に傾斜した傾斜部は、カラー４０が首部１３上に係合される時、対応のタブ１４の下方に傾斜する傾斜部２４に接触する。
【００１５】
図４の拡大詳細図が、ある実施形態のスナップ係合構造５０を図示する。スナップ係合構造５０が、タブ３１ａ、３１ｂと協働し、カラー４０と容器１０の間にスナップ・フィット係合を形成する。ある実施形態においては、スナップ係合構造５０が、円筒部材４１の自由端４９上に形成され、また隆起したスナップ玉部５１、凹部５２、及び隆起した停止部材５３を含む。ある実施形態においては、２つのそのようなスナップ係合構造５０があり、１８０°で離間され、各々が、容器１０のタブ３１ａ、３１ｂの個別の一つと協働することができる。カラー４０が容器１０に関して回転される時、タブ３１ａが、カラー４０の自由端４９に沿って移動し、隆起したスナップ玉部５１により軸方向に持ち上げられる。同一方向における更なる相対的な回転により、タブ３１ａがスナップ玉部５１上に乗り上げ（ユーザーへのフィードバックを生成し）、凹部５２内に降下する。また更なる相対的な回転により、タブ３１ａが、隆起した停止部材５３の側壁５４に衝突し、回転防止部（backstop）を形成する。側壁５４に対するタブ３１ａの衝突が、ユーザーへの聞き取り可能な「クリック」音フィードバックを生じさせ、ユーザーに回転を止めるように警告し、これにより、過剰なトルク付与が阻止される。タブは、十分な力がかけられ、タブ３１ａがスナップ玉部５１の高さを克服できるまで凹部５２内に留まる。ある実施形態においては、そのような十分な力が、有用性調査を通じて検証されるように第５百分位数の成人女性から第９５百分位数の成人男性までにより簡単及び快適にスナップ玉部の高さを克服することができる力として規定される。従って、カラー４０が容器１０上の閉位置にある時、タブ３１ａが凹部５２の領域に止まる。隆起したスナップ玉部５１は、凹部５２の領域からのタブ３１ａの早計又は望まない緩みを妨げるのに十分な量だけ隆起される。タブ３１ｂが同様の方法で他方のスナップ係合構造と協働する。
【００１６】
ある実施形態においては、円筒部材４１が、図３Ａ及び４に図示のように円筒部材４１から軸方向に延びるタブ５５ａ、５５ｂといった１以上の（図示の２つの）回転制限部材を含む。回転制限部材５５ａ、５５ｂは、円筒部材４１のねじ山逃がし領域５７に配置される。回転制限部材５５ａ、５５ｂは、容器１０のタブ３１ａ、３１ｂの下部３３と相互作用し、容器１０からカラー４０を非係合にする時にカラー４０と容器１０の相対的な回転を停止させる。これは、首部１３上のタブ１４ａ、１４ｂ、１４ｃ、及び１４ｄが円筒部材４１のねじ山逃がし領域５７に配置され、もはやねじ山４５ａ、４５ｂ、及び４５ｃに係合していない時にユーザーにフィードバックを与え、従って、容器１０から軸方向に離れるようにカラー４０を持ち上げ、そこから外すことができる。この構造がないならば、もしカラー４０と容器１０の相対的な回転が９０°を超えるならば、ねじ山４５がタブ１４に再係合する。ある実施形態においては、回転制限部材（群）５５が、コンポーネントらの係合のために容器に関する容器係合部材の適切な位置付けを補助するようにも従事する。例えば、これらのコンポーネントが一緒に組み合わされるとき、回転制限部材（群）は、その首部の離間した非連続のタブ１４の間の領域（そのような領域が、容器本体に形成されたマーキング９（図５）により付記される）に位置付けられる。次に、容器が、容器係合部材に関して軸方向に動かされ、首部係合部材に関して容器が９０°回転され、容器のタブが首部係合部材のねじ山に係合する。
【００１７】
ある実施形態においては、３つの離間したねじ山逃がし領域５７と、３つの離間したねじ山４５集合がある。これにより、容器１０は、カラー４０の下部の単一の全周ねじ山４５’まで降下することができる。容器１０とカラー４０の相対的な回転が、更に全てのねじ山を係合させる。
【００１８】
ある実施形態においては、容器１０のためにキャップを持つことが有益である。ユーザーは、度々、一度に数週間に亘り容器１０内に媒体を保存し、定期的に細胞を養うために容器１０にアクセスする。従って、キャップ／容器インターフェースが、度々、装置の主たるインターフェースであり、人間工学的に設計されるべきである。図６を参照すると、キャップ６０が図示される。ある実施形態においては、キャップ６０が、概して円筒状の本体６２と、本体６２から放射状に角度付けられた（angles out）環状のベル形状の下部領域６３を有する。ある実施形態においては、キャップ６０が、本体６２から半径方向外側に延びる複数の離間したフィン６１と、環状リング６４と一緒に付随する半径を含み、特に手袋をしている間、一つの手、例えば、一つの親指で容器１０の首部１３上にキャップ６０を組み付け及び組み外すためのキャップの人間工学的な把持を許容する。例えば、ユーザーの指が、フィン６１の間の領域に都合良く適合し、容器１０に関するキャップ６０の相対的な回転を促進する。フィン６１は、キャップ６０がその側面上で静止することを許容し、汚染の可能性を低減する。
【００１９】
ある実施形態においては、キャップ６０の本体６２の内部が、単一の連続のらせん状のねじ山６６を含む。ねじ山６６が自由なスピン操作を許容する：容器１０に関してキャップ６０に僅かな回転力を与えることが、容器１０に関してキャップ６０を回転させ、容器１０からキャップ６０を外すことに十分である。
【００２０】
ある実施形態においては、キャップ６０が、スナップ係合構造５０’を含む。スナップ係合構造５０’が、容器１０のタブ３１ａ、３１ｂと協働し、キャップ６０と容器１０の間のスナップ・フィット係合を生じさせる。ある実施形態においては、スナップ係合構造５０’が、ベル形状下部領域６３に移行する円筒状本体６２の面上に形成され、隆起したスナップ玉部５１’、凹部５２’、及び隆起した停止部材５３’を含む。ある実施形態においては、そのようなスナップ係合構造５０’が２つあり、１８０°離間され、各々が、容器１０のタブ３１ａ、３１ｂの個別の一つと協働することができる。キャップ６０が容器１０に関して回転される時、タブ３１ａがスナップ係合構造５０’に接近し、隆起したスナップ玉部５１’により軸方向に持ち上げられる。同一方向における更なる相対的な回転により、タブ３１ａが凹部５２’に降下する。また更なる相対的な回転によりタブ３１ａが隆起した停止部材５３’の側壁５４’に対して衝突し、回転防止部を形成する。側壁５４’に対するタブ３１ａの衝突が、ユーザーに触感フィードバックとともに聞き取り可能な「クリック」音を生じさせ、ユーザーに回転を止めるように警告し、これにより、過剰なトルク付与が阻止される。キャップ６０が容器１０上で閉位置にある時、タブ３１ａが凹部５２’の領域に静止し、隆起したスナップ玉部５１’は、凹部５２’の領域からタブ３１ａの早計又は望まない緩みを妨げるのに十分な高さで隆起される。タブ３１ｂが同様の方法で他方のスナップ係合構造と協働する。
【００２１】
図８乃至１０が、容器１０のキャップ係合の別形態を図示する。この実施形態においては、容器１０のロック構造と係合する時に半径方向外側に曲がるスナップロック構造が設けられる。図８に示されるように、片持ち梁スナップロック部材５１”が、隆起した停止部材５３”の半径方向外側に位置付けられ、そこから周辺にオフセットされる（例えば、タブ３１ａの厚みによるオフセット）。ある実施形態においては、片持ち梁スナップロック部材５１”が、キャップ６０のベル形状下部領域６３のリセス５１０内に形成され、そこから軸方向に突出する。図８に見ることができるように、スナップロック部材５１”の縁が面取りされ、スナップロック部材５１”が、図９に示されるように、その半径方向内側の面が、容器１０上のタブ３１ａの半径方向外側の面に係合する時に半径方向外側に曲がることができる。ある実施形態においては、２つのそのようなスナップロック部材があり、１８０°離間され、各々が、容器１０のタブ３１ａ、３１ｂの個別の一つと協働することができる。
【００２２】
キャップ６０が容器１０に対して回転されるため、タブ３１ａ（及びより端的には、放射状に延びるタブ３１ａの下部３３）が、面取りされた縁上に乗り、スナップロック部材５１”を半径方向外側に押す。図１０Ａに示されるように、（例えば、約１１°で）タブ３１ａとスナップロック部材５１”の最初の接触が為される。図１０Ｂは、キャップ６０と容器１０の継続する相対的な回転により、スナップロック部材５１”が半径方向外側に反れる。図１０Ｃは、更なる相対的な回転の時、タブ３１ａがもはやスナップロック部材５１”に接触せず、後者がその元の位置に戻ることを示す。図１０Ｃに図示の位置においては、タブ３１ａ（より詳細には、タブ３１ａの放射方向に延びる上部３２）が、隆起した停止部材５３”の側壁５４”に接触し、回転防止部を形成する。タブ３１ａと隆起した停止部材５３”のこの接触により、ユーザーへ触感フィードバックとともに聞き取り可能な「クリック」音が生じ、ユーザーに回転を止めるように警告し、これにより、過剰なトルク付与が阻止される。
【図５Ａ】
0006041921.tif 000002
【図５Ｂ】
0006041921.tif 000003
【図７】
0006041921.tif 000004
【図１】
0006041921.tif 000005
【図２】
0006041921.tif 000006
【図３Ａ−３Ｂ】
0006041921.tif 000007
【図３Ｃ】
0006041921.tif 000008
【図４】
0006041921.tif 000009
【図５】
0006041921.tif 000010
【図６】
0006041921.tif 000011
【図７Ａ】
0006041921.tif 000012
【図８】
0006041921.tif 000013
【図９】
0006041921.tif 000014
【図１０Ａ−１０Ｃ】
0006041921.tif 000015